(57)【要約】【課題】学習者の気付きを容易に共有することができる学習支援システム、学習支援方法、及び学習者端末を提供する。【解決手段】複数の学習者端末を備える学習支援システムであって、ある学習者端末が、第一学習者のユーザ入力に基づき作成したノートを送信し、少なくとも１の他の学習者端末は、送信されたノートに係る評価が基準以上である場合、ノートを表示する。【選択図】図１３
2018180194.tif 000002
【特許請求の範囲】
【請求項１】
複数の学習者端末を備える学習支援システムであって、
ある学習者端末が、第一学習者のユーザ入力に基づき作成したノートを送信し、
少なくとも１の他の学習者端末は、送信された前記ノートに係る評価が基準以上である場合、前記ノートを表示する学習支援システム。
【請求項２】
前記学習支援システムは、添削者端末を備え、
前記添削者端末が前記ノートに係る評価を決定する、請求項１に記載の学習支援システム。
【請求項３】
前記添削者端末は、添削者の入力に基づき前記ノートに追加情報を付加し、前記少なくとも１の他の学習者端末は、前記追加情報が付加された前記ノートを表示する、請求項２に記載の学習支援システム。
【請求項４】
前記少なくとも１の他の学習者端末は、前記ノートの共有が前記第一学習者により許可されている場合、前記ノートを表示する、請求項１乃至３のいずれか一項に記載の学習支援システム。
【請求項５】
前記少なくとも１の他の学習者端末は、送信された複数のノートを、時系列にタイムライン表示する、請求項１乃至４のいずれか一項に記載の学習支援システム。
【請求項６】
前記少なくとも１の他の学習者端末は、送信された複数のノートのうち、所定条件を満たす一部のノートのみを表示する、請求項１乃至５のいずれか一項に記載の学習支援システム。
【請求項７】
前記所定条件は、前記第一学習者の学習進度と、前記少なくとも１の他の学習者端末に係る第二学習者の学習進度とが、所定範囲内であることを含む、請求項６に記載の学習支援システム。
【請求項８】
前記所定条件は、前記第一学習者と前記少なくとも１の他の学習者端末に係る第二学習者とが関連付けられていることを含む、請求項６又は７に記載の学習支援システム。
【請求項９】
複数の学習者端末における学習支援方法であって、
ある学習者端末が、第一学習者のユーザ入力に基づき作成したノートを送信するステップと、
少なくとも１の他の学習者端末が、送信された前記ノートに係る評価が基準以上である場合、前記ノートを表示するステップと、
を含む、学習支援方法。
【請求項１０】
前記学習支援方法はさらに、
前記学習者端末が送信した前記ノートに係る評価を、添削者端末により決定し、
前記添削者端末は、添削者の入力に基づき前記ノートに追加情報を付加するステップと、
前記学習者端末は、前記追加情報が付加された前記ノートを受信するステップと、
を含む、請求項９に記載の学習支援方法。
【請求項１１】
通信部と、
学習者によるユーザ入力を受け付ける入力部と、
前記ユーザ入力に基づきノートを作成し、前記ノートを送信する制御部と、
前記ノート及び他の学習者により作成されたノートを送受信する通信部と、
前記他の学習者により作成されたノートに係る評価が基準以上である場合、該ノートを表示する表示部と、
を備える学習者端末。
【請求項１２】
前記制御部は、前記ノートを作成するためのノート作成画面を、前記ノート作成画面とは異なる表示画面に重畳して前記表示部により表示する、請求項１１に記載の学習者端末。
【請求項１３】
前記表示部は、前記他の学習者により作成されたノートを時系列にタイムライン表示する、請求項１１又は１２に記載の学習者端末。
【発明の詳細な説明】
【技術分野】
【０００１】
本発明は、学習支援システム、学習支援方法、及び学習者端末に関する。
【背景技術】
【０００２】
従来から、学習対象者に対して、最適な内容の学習を効率良く行わせることを目的とした学習支援の方法が提案されている（例えば特許文献１）。
【先行技術文献】
【特許文献】
【０００３】
【特許文献１】特開２０１５−１０２５５６
【発明の概要】
【発明が解決しようとする課題】
【０００４】
従来の技術では、例えば解答又は解法が１つではない問題等に対し、学習者が独自の解答又は解法に気付いた場合、他の学習者とリアルタイムで共有する環境がなかった。また学習者の気付きに対して助言、感想等を求め、自ら考える力を高め、学習者同士が意見交換する環境がなかった。
【０００５】
従って上記のような問題点に鑑みてなされた本発明の目的は、学習者の気付きを容易に共有することができる学習支援システム、学習支援方法、及び学習者端末を提供することにある。
【課題を解決するための手段】
【０００６】
上記課題を解決するために本発明の一実施形態に係る学習支援システムは、
複数の学習者端末を備える学習支援システムであって、
ある学習者端末が、第一学習者のユーザ入力に基づき作成したノートを送信し、
少なくとも１の他の学習者端末は、送信された前記ノートに係る評価が基準以上である場合、前記ノートを表示する。
【０００７】
また本発明の一実施形態に係る学習支援方法は、
複数の学習者端末における学習支援方法であって、
ある学習者端末が、第一学習者のユーザ入力に基づき作成したノートを送信するステップと、
少なくとも１の他の学習者端末が、送信された前記ノートに係る評価が基準以上である場合、前記ノートを表示するステップと、
を含む。
【０００８】
また本発明の一実施形態に係る学習者端末は、
通信部と、
学習者によるユーザ入力を受け付ける入力部と、
前記ユーザ入力に基づきノートを作成し、前記ノートを送信する制御部と、
前記ノート及び他の学習者により作成されたノートを送受信する通信部と、
前記他の学習者により作成されたノートに係る評価が基準以上である場合、該ノートを表示する表示部と、
を備える。
【発明の効果】
【０００９】
本発明の一実施形態に係る学習支援装置、学習支援方法、及び学習者端末によれば、学習者の気付きを容易に共有することができる。
【図面の簡単な説明】
【００１０】
【図１】本発明の一実施形態に係る学習支援システムの概要図である。
【図２】本発明の一実施形態に係る学習支援システムの学習者端末のブロック図である。
【図３】学習者端末に表示される学習コンテンツの一例である。
【図４】学習者端末に表示されるノート一覧の一例である。
【図５】学習者端末に表示されるノート作成画面の一例である。
【図６】ツールボタンが展開されたノート作成画面の一例である。
【図７】操作ボタンが展開されたノート作成画面の一例である。
【図８】ノート提出ダイアログの一例である。
【図９】本発明の一実施形態に係る学習支援システムのサーバのブロック図である。
【図１０】本発明の一実施形態におけるユーザ情報の一例である。
【図１１】本発明の一実施形態に係る学習支援システムの添削者端末のブロック図である。
【図１２】学習者端末に表示されるタイムライン表示の一例である。
【図１３】学習者端末に表示される他の学習者のノートの一例である。
【図１４】学習者端末に表示されるお気に入りのノート一覧の一例である。
【図１５】本発明の一実施形態に係る学習支援システムの動作を示すフローチャートである。
【発明を実施するための形態】
【００１１】
以下、本発明の実施の形態について説明する。
【００１２】
（実施の形態）
図１は本発明の一実施形態に係る学習支援システム１０の概要図である。本発明の一実施形態に係る学習支援システム１０は、複数の学習者端末１ａ〜１ｃと、サーバ２と、添削者端末３とを備える。以下、複数の学習者端末１ａ〜１ｃを区別しない場合には、これらをまとめて学習者端末１と記す。複数の学習者端末１とサーバ２とは、例えばインターネット等のネットワークＮにより接続される。なお図１では、簡便のため学習者端末１を３台示しているが、学習者端末数はこれに限られず、任意の台数の学習者端末１が備えられてもよい。同様にサーバ２及び添削者端末３は、簡便のためそれぞれ１台示しているが、サーバ２及び添削者端末３の台数はこれに限られず、任意の台数のサーバ２及び添削者端末３が備えられてもよい。
【００１３】
学習者端末１は、通信教育の利用者（以下、学習者という。）が用いるタブレット端末、スマートフォン、パーソナルコンピュータ等の情報処理装置であって、サーバ２から提供されるサービスを実行する。サーバ２は、例えば通信教育の運営者が管理するサーバ装置等の情報処理装置であって、学習者が各々保有する学習者端末１に対して通信教育に係るサービスを提供する。添削者端末３は、通信教育の添削者が用いるパーソナルコンピュータ、タブレット端末等の情報処理装置である。このように学習者端末１、サーバ２、及び添削者端末３が協働して、学習者端末１を保有する学習者に通信教育サービスを提供し、学習を支援する。
【００１４】
ここで本実施形態に係る学習支援システム１０による学習支援の概要について説明する。本システムでは、学習者が学習者端末１を用い、通信教育の添削問題や学習内容等係る質問、解答、又は解法等を入力操作し、ノートを作成する。学習者端末１は、作成したノートをサーバ２にネットワークＮを介して提出（送信）する。サーバ２は受信したノートを添削者端末３に送信する。添削者端末３は、添削者の操作に基づき受信したノートに質問に対する回答、添削コメント等の追加情報を付加する。添削者端末３は、追加情報が付加された添削済みのノートを、ネットワークＮを介してサーバ２に送信する。サーバ２は、添削済みのノートを学習者端末１に送信する。学習者端末１は添削済みのノートを受信し、学習者は添削済みのノートの追加情報に基づき学習を進める。このようにして、添削者による学習者への学習指導を行うことができる。
【００１５】
また後述する通り、本システムでは学習者がノートを他の学習者に共有したい場合、送信したノートを、他の学習者に共有可能な仕組みを採用している。本システムでは、学習者（以下、第一学習者ともいう。）が送信したノートに記載の解法等に独自性がある等、ノートに係る評価が基準以上である場合、当該ノートを他の学習者（以下、第二学習者ともいう。）の学習者端末１で表示する。以下、学習支援システム１０の各構成要素について具体的に説明する。
【００１６】
（学習者端末１の構成）
まず、学習者端末１について説明する。図２に、学習者端末１のブロック図を示す。学習者端末１は、端末通信部１１と、端末記憶部１２と、表示部１３と、入力部１４と、端末制御部１５とを備える。端末通信部１１と、端末記憶部１２と、表示部１３と、入力部１４と、端末制御部１５とは、バス１６によりそれぞれ接続されている。
【００１７】
端末通信部１１は、外部装置と無線又は有線によって通信し、情報の送受信を行うインターフェースである。本実施形態において、端末通信部１１は、ネットワークＮを介して、サーバ２との間で情報を相互に送受信可能である。
【００１８】
端末記憶部１２は、例えば一次記憶装置及び二次記憶装置を含み、サーバ２から提供される種々の情報及び情報処理に必要なプログラムを記憶する。例えば、端末記憶部１２は、通信教育に係る学習用のアプリケーション（以下、学習アプリケーションともいう。）を記憶する。学習アプリケーションは、例えばネットワークＮを介して所定の配信サーバから取得可能である。学習アプリケーションが実行（起動）された状態で、学習者端末１の本実施形態に係る動作が実現される。
【００１９】
表示部１３は、例えば液晶ディスプレイ又は有機ＥＬディスプレイ等の表示デバイスであって、多様な画面を表示可能である。
【００２０】
入力部１４は、例えば表示部１３と一体的に設けられたタッチパネルを含む入力インターフェースであって、学習者端末１に対する学習者のタップ等の入力操作（以下、ユーザ入力ともいう。）を受付可能である。本実施の形態では入力部１４がタッチパネルを含む入力インターフェースであるものとして説明するが、これに限られない。例えば入力部１４は、表示部１３とは別体で設けられており、キーボードやマウスにより構成してもよい。
【００２１】
端末制御部１５は、専用又は汎用のプロセッサを含む。端末制御部１５は、学習者端末１全体の動作を制御する。例えば端末制御部１５は、端末通信部１１によりネットワークＮを介して情報の送受信を行う。また端末制御部１５は、学習者の操作に応じて学習アプリケーションを実行する。
【００２２】
また端末制御部１５は、種々の情報処理を行う。以下、種々の情報処理について具体的に説明する。
【００２３】
例えば端末制御部１５は、学習アプリケーションの起動後に、学習コンテンツ画面を表示部１３に表示させる。図３に、ある学習者の学習者端末１の表示部１３に表示される学習コンテンツの画面例を示す。学習コンテンツ画面には、問題文、設問、解答ボタン１０１、及びボタン１０２等が含まれる。解答ボタン１０１及びボタン１０２に対するユーザ入力に基づき、それぞれ設問への解答を受け付け、次の問題文へ進む処理等を実行する。
【００２４】
また学習コンテンツ画面には、ノートアイコン１０３が表示される。ノートアイコン１０３に対するユーザ入力があった場合、端末制御部１５は、ノートの一覧画面を表示部１３に表示させる。図４に、ノートの一覧画面の例を示す。一覧画面には、学習者が過去に蓄積したノートが表示される。過去に蓄積したノートは、例えば図４に示すようにそれぞれアイコンの形式で表示される。各アイコンを選択することで、各ノートの内容を表示することができる。なおノートとは、学習者が作成するデータであり、文書データ、画像データ、動画データ等、あらゆる形態のデータを含む。
【００２５】
各ノートのアイコンの近傍にはノート名、作成日時（又は更新日時）、ステータスが表示される。ステータスとは当該ノートの状態を示しており、具体的には例えば「提出」、「更新」、及び「返却」等の状態を示す。「提出」は、ノートを提出したことを示す。また「更新」は、作成者がノートを再編集して更新したことを示す。また「返却」は、添削者による添削がされた添削済みノートであることを示す。図４に示すようにステータスに応じて各ノートのアイコンの表示態様が変わるため、アイコンに基づき当該ノートのステータスが即時に把握できる。
【００２６】
またノート一覧画面において、表示対象のノートを当該ステータスに応じてフィルタリングして、例えば「返却」のノートのみの一覧を表示可能である。同様に、ノートの作成日時、名称等に応じてノートの表示順を変更可能である。なおノートのステータスに応じてノートの表示順を変更するようにしてもよい。またノート一覧画面は、タブ１１１ａ〜１１１ｄを含む。タブ１１１ａ〜１１１ｄにより、例えば教科毎、内容毎にノートを分類することができる。ノート一覧画面には閉じるボタン１１２が含まれ、閉じるボタン１１２に対するユーザ入力があった場合、端末制御部１５は遷移元の画面を表示部１３に表示する。ここでは、端末制御部１５は図３の学習コンテンツ画面を表示部１３に表示する。
【００２７】
ノート一覧画面には、新規ノート作成ボタン１１３が含まれる。新規ノート作成ボタン１１３に対するユーザ入力があった場合、端末制御部１５は、新規ノートの作成処理を実行する。具体的には新規ノート作成ボタン１１３に対するユーザ入力があった場合、端末制御部１５は、ノート作成画面１２１を表示部１３に表示させる。図５にノート作成画面１２１の一例を示す。ノート作成画面を用いて、端末制御部１５は、ユーザ入力に基づきノートを作成する。
【００２８】
ここで図５に示すように、本実施の形態では、ノート作成画面１２１が、ノート一覧画面に重畳して表示される。ノート作成画面１２１は、スライダ１２２により表示領域の拡大及び縮小が可能である。このように本実施の形態では、ノート作成画面１２１を重畳して表示することで、ノート作成画面１２１を表示しつつ、別の画面を下のレイヤーに表示させたままにする。さらに、重畳表示している下のレイヤーの画面に対するユーザ入力も受け付け可能である。例えば、下のレイヤーの閉じるボタン１１２に対するユーザ入力があった場合、端末制御部１５は、下のレイヤーを、ノート一覧画面から学習コンテンツ画面に変更する。このように、ノート作成画面１２１とともに、ノート作成画面１２１とは別の表示画面を同時に表示することにより、下のレイヤーの画面の内容（例えば学習コンテンツ画面）を閲覧しながらノートの作成をすることが可能である。
【００２９】
ノート作成画面１２１は、ツールメニュー１２３と、操作メニュー１２４とを含む。ツールメニュー１２３は、ノートに手書き入力、テキスト入力、入力消去、下のレイヤーのスクリーンショット添付、回転等の各種入力をするためのツールを展開（表示）するボタンである。ツールメニュー１２３に対するユーザ入力があった場合、端末制御部１５は、ツールボタン１２５を展開（表示）する。図６に、ツールボタン１２５が展開されたノート作成画面１２１を示す。なお図６では、下のレイヤーを、ノート一覧画面から学習コンテンツ画面に変更している。図６では、手書き入力ツールが選択されて、手書き入力により線１２６ａが入力されている。線１２６ａは、ベクターデータとして認識されてもよく、画像データとして認識されてもよい。
【００３０】
操作メニュー１２４は、ノートに対する各種操作をするためボタンである。操作メニュー１２４に対するユーザ入力があった場合、端末制御部１５は、操作ボタン１２７、１２８、及び１２９を展開（表示）する。図７に、操作ボタンが展開されたノート作成画面１２１を示す。なお図６でのノート作成画面で入力されていた線１２６ａに加えて、手書き文字１２６ｂ及びスナップショット１２６ｃが入力されている。操作ボタン１２７は、ノートを閉じるためのボタンである。操作ボタン１２７に対するユーザ入力があった場合、端末制御部１５は、作成中のノートを保存せずにノート作成画面１２１を閉じる。なお操作ボタン１２７に対するユーザ入力後に、ノートを保存するか否かのダイアログ画面を表示し、ユーザに対して確認を取るようにしてもよい。
【００３１】
操作ボタン１２８は、ノートを保存するためのボタンである。当該操作ボタン１２８に対するユーザ入力があった場合、端末制御部１５は、作成されたノートを一時保存する。一時保存とは、当該ノートを提出せずに学習者端末１に記憶することである。一時保存されたノートは、一時保存後の任意のタイミングで、ノート一覧画面から選択して編集することができる。
【００３２】
操作ボタン１２９は、ノートを提出（送信）するためのボタンである。当該操作ボタン１２９に対するユーザ入力があった場合、端末制御部１５は、ノート提出ダイアログへのユーザ入力を受け付け後にノートを提出する。すなわち端末制御部１５は、ネットワークＮを介してサーバ２にノートを送信する。図８にノート提出ダイアログ１３０の一例を示す。図８に示すように、操作ボタン１２９への入力があった場合、まずノート提出ダイアログ１３０が表示される。ノート提出ダイアログは、ノートの共有意思を学習者に確認するためのダイアログであり、ユーザ入力に基づき、ノートの共有意思（ノートを送る理由）を選択する。図８に示す例では、ノートを送る理由として、「英語の質問」「数学の質問」「Ｄｉｓｃｏｖｅｒｙ Ｎｏｔｅ（数学）」の３つを例示している。「英語の質問」及び「数学の質問」は、共有意思が無い場合に利用する。具体的には、これらの選択肢は、それぞれ英語又は数学の学習コンテンツに係る質問事項を記載したノートを作成した場合に利用する。一方で、「Ｄｉｓｃｏｖｅｒｙ Ｎｏｔｅ（数学）」は、共有意思がある場合に利用する。具体的にはこの選択肢は、数学で新たな解法や解答等に気付いた場合、または概念のつながりなどに関する気付きがあった場合などにおいて、当該解法や解答を記載したノートを作成した場合に利用する。端末制御部１５は、ユーザ入力に基づき選択されたノートを送る理由に係る情報（以下、共有意思情報という。）を含め、ノートをサーバ２に送信する。サーバ２は、共有意思情報に基づき、当該ノートの共有が学習者により許可されているか否かを判別可能である。なお図８の例ではノートを送る理由を３つのみ例示しているがこれに限られない。例えば、「国語の質問」「理科の質問」「社会の質問」「Ｄｉｓｃｏｖｅｒｙ Ｎｏｔｅ（理科）」等、あらゆる教科の質問、気付きに関する選択肢があってもよい。あるいは選択肢を「質問」「Ｄｉｓｃｏｖｅｒｙ Ｎｏｔｅ」の２パターンとしてもよい。あるいは選択肢を「他の学習者に共有する」「他の学習者に共有しない」としてもよい。
【００３３】
（サーバ２の構成）
次にサーバ２について説明する。図９に、サーバ２のブロック図を示す。サーバ２は、サーバ通信部２１と、サーバ記憶部２２と、サーバ制御部２３とを備える。サーバ通信部２１と、サーバ記憶部２２と、サーバ制御部２３とは、バス２４によりそれぞれ接続されている。なおサーバ２はこれらの各構成要素を複数設けてもよく、サーバ２の各機能に応じて適宜使い分けてもよい。またサーバ２自体を複数のサーバ装置により構成してもよい。
【００３４】
サーバ通信部２１は、外部装置と無線又は有線によって通信し、情報の送受信を行うインターフェースである。本実施形態において、サーバ通信部２１は、ネットワークＮを介して、学習者端末１との間で情報を相互に送受信可能である。
【００３５】
サーバ記憶部２２は、例えば一次記憶装置及び二次記憶装置を含み、通信教育の提供及び制御に必要な種々の情報及びプログラムを記憶する。例えばサーバ記憶部２２は、学習者に係る情報（以下、学習者情報という。）を記憶する。
【００３６】
（学習者情報）
学習者情報は、各学習者に固有の任意の情報を含む。本実施形態において、学習者情報は、例えば図１０に示すように、学習者ＩＤと、ニックネームと、学習進度と、学習ポイントと、区分とを含む。つまり各学習者ＩＤに、ニックネームと、学習進度と、学習ポイントと、区分とが対応付けられている。なお学習者情報はこれに限られず、例えばノートの提出状況など、他の任意の情報を含んでよい。
【００３７】
学習者ＩＤは、学習者を一意に識別可能な情報である。ニックネームは、学習者のニックネームである。学習進度は、学習者が進めている学習コンテンツの進度である。例えば学習進度は、進度レベルの値により表され、例えば進度が低い順に１〜２０の２０段階により定めることができる。学習進度は、教科毎に分けて定義する。学習ポイントは、学習者のノートの提出状況、正解数、理解度等に基づき付与されるポイントである。区分は、学習進度及び学習ポイントに応じて定められる学習者の区分である。学習者の区分は、例えば、プレミア及びノーマルの２区分である。プレミアは、同一の進度レベルの学習者の中で学習ポイントが高い上位の所定人数の学習者が含まれる区分である。一方で、ノーマルには、プレミア以外の学習者が含まれる。すなわち、プレミア区分の学習者は、相対的に学習能力が高いことを示す。なお区分は２つに限らず、任意の数の区分としてもよい。
【００３８】
サーバ制御部２３は、専用又は汎用のプロセッサを含む。サーバ制御部２３は、サーバ２全体の動作を制御する。例えばサーバ制御部２３は、サーバ通信部２１によりネットワークＮを介して情報の送受信を行う。またサーバ制御部２３は、上述した学習者情報を、サーバ記憶部２２に記憶させる。またサーバ制御部２３は、種々の処理を行う。以下、種々の処理について具体的に説明する。
【００３９】
サーバ制御部２３は、サーバ通信部２１により、学習者端末１からネットワークＮを介してノートを受信する。またサーバ制御部２３は、当該ノートを添削者端末３にネットワークＮを介してノートを送信する。またサーバ制御部２３は、サーバ通信部２１により、添削者端末３からネットワークＮを介して添削済みのノートを受信する。またサーバ制御部２３は、添削済みのノートを学習者端末１にネットワークＮを介してノートを送信する。
【００４０】
またサーバ制御部２３は、受信したノートに含まれる共有意思情報に基づき、当該ノートを共有することが学習者により許可されているか否かを判定する。ノートの共有が許可されている場合、ノートに係る評価が基準以上であるかを判定する。ノートに係る評価とは、当該ノートを共有する価値があるか否かを示す指標であり、例えば添削者端末３により定める。具体的には後述するように、共有が許可されているノートに対して、添削者端末３は、添削者の入力に基づき、ノートに係る評価を決定する。
【００４１】
サーバ制御部２３は、ノートに係る評価に基づき、当該評価が基準以上である場合、当該ノートを共有する。すなわちサーバ制御部２３は、少なくとも１の他の学習者端末１に当該ノートを送信し、当該学習者端末１にて、共有されたノートを表示可能にする。
【００４２】
ここでサーバ制御部２３は、複数のノートのうち、所定条件を満たす一部のノートのみを表示する。例えば所定条件は、第一学習者の学習進度と、第二学習者の学習進度とが、所定範囲内である場合である。つまりサーバ制御部２３は、学習進度が所定範囲内の第二学習者にのみ、第一学習者のノートを表示可能にする。サーバ制御部２３は、サーバ記憶部２２の学習者情報を参照して学習進度を取得する。例えば第一学習者を、学習者ＩＤがＵ００２の学習者であるとする。当該学習者の学習進度は７である。またノートを共有する範囲が、学習進度７の上下１範囲内（すなわち学習進度が６〜８）であるとする。この場合、Ｕ００２の学習者のノートは、学習者ＩＤがＵ００１及びＵ００３の学習者のみに共有される。なお所定範囲は任意に設定することができ、例えば学習進度が同一（すなわち上記の例では学習進度が７）としてもよい。
【００４３】
また例えば所定条件は、第一学習者と第二学習者とが関連付けられている場合としてもよい。第一学習者と第二学習者とが関連付けられている場合とは、例えば、両者がフレンド登録している場合である。あるいは第二学習者が第一学習者をフォロー登録している場合である。この場合、例えば第二学習者がフォローしている第一学習者の方が、学習が先に進んでいる場合であっても、当該第一学習者が送信したノートを閲覧することができる。フレンド登録及びフォロー登録は、学習者端末１及びサーバ２が協働して行う。当該登録に係る情報は、サーバ記憶部２２の学習者情報に追加されてもよく、あるいは別のサーバ装置により管理されてもよい。
【００４４】
（添削者端末３の構成）
図１１は、本発明の一実施形態に係る添削者端末３のブロック図である。添削者端末３は、端末通信部３１と、端末記憶部３２と、表示部３３と、入力部３４と、端末制御部３５とを備える。端末通信部３１と、端末記憶部３２と、表示部３３と、入力部３４と、端末制御部３５とは、バス３６によりそれぞれ接続されている。
【００４５】
端末通信部３１は、外部装置と無線又は有線によって通信し、情報の送受信を行うインターフェースである。本実施形態において、端末通信部３１は、ネットワークＮを介して、サーバ２との間で情報を相互に送受信可能である。
【００４６】
端末記憶部３２は、例えば一次記憶装置及び二次記憶装置を含み、サーバ２から提供される種々の情報及び情報処理に必要なプログラムを記憶する。例えば、端末記憶部３２は、通信教育に係る添削用のアプリケーション（以下、添削アプリケーションという。）を記憶する。添削アプリケーションは、例えばネットワークＮを介して所定の配信サーバから取得可能である。添削アプリケーションが実行（起動）された状態で、添削者端末３の本実施形態に係る動作が実現される。
【００４７】
表示部３３は、例えば液晶ディスプレイ又は有機ＥＬディスプレイ等の表示デバイスであって、多様な画面を表示可能である。例えば表示部３３は書面画像を表示する。
【００４８】
入力部３４は、例えばキーボード、ペンタブレット、タッチパッド、マウス等の入力インターフェースであって、添削者端末３に対する添削者の操作を受付可能である。なお入力部３４は、表示部３３と一体的に設けられたタッチパネルであってもよい。
【００４９】
端末制御部３５は、専用又は汎用のプロセッサを含む。端末制御部３５は、添削者端末３全体の動作を制御する。例えば端末制御部３５は、端末通信部３１により情報の送受信を行う。また端末制御部３５は、添削者の操作に応じて添削アプリケーションを実行（起動）する。
【００５０】
また端末制御部３５は、種々の情報処理を行う。例えば端末制御部３５は、端末通信部３１により、サーバ２からノートを受信する。また端末制御部３５は、表示部３３によりノートを表示し、入力部３４により添削者の操作を受け付ける。入力部３４により添削者の操作を受け付けると、端末制御部３５はノートを編集し、添削コメント等の追加情報を付加し、添削済みのノートを保存する。また端末制御部３５は、端末通信部３１により、サーバ２に添削済みのノートを送信する。
【００５１】
また端末制御部３５は、共有が許可されているノートに対して、添削者の入力に基づきノートに係る評価を決定する。ノートに係る評価は各種態様にて行うことが可能である。例えば添削者端末３が、添削者によるノートの点数の入力を受け付けてもよい。また例えば、共有すべきか否かの２値により評価の入力を受け付けるようにしてもよい。端末制御部３５は、ノートに係る評価の情報をノートに含めて、サーバ２に添削済みのノートを送信する。ノートに係る評価を決定することで、独自の解法等、共有する価値のあるノートを共有させ、また一方で一般的なありふれた解法等を共有しないようにと、フィルタリングすることができる。
【００５２】
（共有されたノートの表示処理）
次に、共有が許可されているノートについて、ノートに係る評価が基準以上である場合の表示処理について説明する。当該ノートは、第二学習者の学習者端末１にて表示される。第二学習者の学習者端末１の表示部１３がノート一覧画面（図４）を表示している状態で、タイムラインアイコン１１４へのユーザ入力があった場合、端末制御部１５は、タイムライン表示画面を表示する。図１２にタイムライン表示画面の一例を示す。タイムライン表示画面は、学習コンテンツ領域１３１と、タイムライン領域１３２とを含む。学習コンテンツ領域１３１には、学習コンテンツが表示される。タイムライン領域１３２には、第一学習者が送信したノートに係る情報１３３、１３４及び、自己の答案の提出状況の情報１３５が時系列で表示（タイムライン表示）される。なお図１２では、新しい情報であるほどタイムライン領域１３２の上部に表示される例を示しているがこれに限られず、新しい情報であるほどタイムライン領域１３２の下部に表示されるようにしてもよい。
【００５３】
タイムライン領域１３２のノートに係る情報１３３及び１３４は、タッチ操作等のユーザ入力を受付可能である。ノートに係る情報１３３に対するユーザ入力があった場合、端末制御部１５は、共有されたノートを表示部１３に表示する。図１３に、第一学習者（ここではニックネームが「アジサイ」の学習者）が作成したノートの表示画面を示す。図１３に示すように、共有されたノート１３６は、第一学習者が作成した内容の表示領域１３７と、添削者が付加した追加情報の表示領域１３８とを含む。第二学習者は、第一学習者が作成した内容に加えて、添削者の添削コメント等も閲覧することができる。さらにノートの表示画面は、ボタン１３９、コメントボタン１４０、及びお気に入り追加ボタン１４１を含む。ボタン１３９に対するユーザ入力があった場合、端末制御部１５は、共有されたノートに係る賛同ポイントに１を加算する。賛同ポイントとは、ノートの内容を閲覧した学習者による評価の指標であり、ボタン１３９が押された回数を示す。賛同ポイントが多い程、当該ノートに対する学習者の評価が高いことを示す。コメントボタン１４０は、当該ノートに対して第二学習者がコメントを投稿するためのボタンである。コメントボタン１４０に対するユーザ入力があった場合、端末制御部１５は、入力部１４により第二学習者からコメントの入力を受け付ける。端末制御部１５は、入力されたコメントを当該ノートと関連付けて、共有されたノートに対応付けて、第一学習者及び他の第二学習者が閲覧可能なように表示処理する。このように本実施の形態では、共有されたノートに対して、コメントを投稿可能である。これにより、教室など限られた学習者内の意見交換と比較して、ある学習者の気づきに対する助言、共感を促すことができる。またコメントの投稿により、更に学習者の理解を深めたり、独自の手法を発展させたりすることも可能である。さらに話すことが得意でない学習者であっても、自身が気づいたことについて意見を求めやすくなる。なお賛同ポイントに応じて、当該ノートを作成した学習者に学習ポイントを付与するようにしてもよい。
【００５４】
お気に入り追加ボタン１４１は、共有されたノートのうち、お気に入りとして追加するためのボタンである。お気に入り追加ボタン１４１に対するユーザ入力があった場合、端末制御部１５は、当該ノートをお気に入りとして追加する。お気に入りとして追加されたノートは、ノート一覧画面にて閲覧可能となる。図１４に、お気に入りのノート一覧の画面を示す。お気に入りのノートは、タブ１１１ｄに分類される。すなわちノート一覧画面においてタブ１１１ｄが選択されると、過去にお気に入りとして追加されたノートの一覧が表示される。過去にお気に入りとして追加されたノートは、図１４に示すようにそれぞれアイコンの形式で表示される。各ノートのアイコンの近傍にはノート名、作成日時（又は更新日時）、ステータスが表示される。各アイコンを選択することで、各ノートの内容を表示することができる。
【００５５】
またお気に入りのノート一覧画面には、検索ウィンドウ１４２が設けられる。検索ウィンドウにて共有されたノートの名称、内容、作成日時、作成者等で、キーワード検索することができる。なお検索キーはこれに限られず、問題、添削者、学習者区分、賛同ポイント数等で検索できるようにしてもよい。
【００５６】
（本システムの動作）
次に、本発明の一実施形態に係る学習支援システム１０について、図１５に示すフローチャートによりノートを共有する場合の動作を説明する。ここでは第一学習者が学習者端末１ａを操作し、第二学習者が学習者端末１ｂを操作しているものとして説明する。
【００５７】
はじめに学習者端末１ａの端末制御部１５は、第一学習者によるユーザ入力に基づきノートを作成する（ステップＳ１０）。次に端末制御部１５は作成したノートを提出する。すなわち端末制御部１５は、ネットワークＮを介してサーバ２にノートを送信する（ステップＳ２０）。
【００５８】
続いてサーバ２のサーバ制御部２３は、学習者端末１ａから受信したノートを共有することが第一学習者により許可されているか否かを判定する（ステップＳ３０）。サーバ制御部２３は、ノートに含まれる共有意思情報に基づき、当該判定を行う。ノートの共有が許可されている場合、ステップＳ４０に進む。一方ノートの共有が許可されていない場合は終了する。なおこの場合は、受信したノートに対して添削コメント等の追加情報を付加する処理を行う。
【００５９】
ノートの共有が許可されている場合、ノートに係る評価を決定する（ステップＳ４０）。具体的には添削者端末３の端末制御部３５は、共有が許可されているノートに対して、添削者の入力に基づき、ノートに係る評価を決定する。端末制御部３５は、ノートに係る評価の情報をノートに含めて、端末通信部３１により、添削済みのノートをサーバ２に送信する。
【００６０】
続いてサーバ２のサーバ制御部２３は、ノートに係る評価が基準以上であるかを判定する（ステップＳ５０）。サーバ制御部２３は、ノートに係る評価が基準以上である場合、当該ノートを共有する（ステップＳ６０）。すなわちサーバ制御部２３は、学習者端末１ｂに当該ノートを送信する。学習者端末１ｂは、表示部１３により共有されたノートを表示する。
【００６１】
以上説明したように、本発明の一実施形態に係る学習支援システム１０によれば、学習者が学習中に気付いた解法や解答、概念のつながりなどに関する気付き等を入力したノートを容易に作成及び送信することができるため、学習者の気付きを容易に共有することができる。また送信されたノートに係る評価が基準以上である場合に、第二学習者の学習者端末１にて表示するようにしている。このため、例えば一般的なありふれた解法や解答等をフィルタリングすることができ、第二学習者にとって有用なノートを共有することができる。
【００６２】
また、本発明の一実施形態に係る学習支援システム１０では、添削者端末３が添削者による入力操作に基づいてノートに係る評価を決定する。そのため第二学習者にとって、より学習効果の高いノートを共有することができる。
【００６３】
なお、本実施の形態では、添削者端末３が添削者による入力操作に基づいてノートに係る評価を決定するとしたが、ノートに係る評価の決定方法はこれに限られない。例えば、サーバ２又は添削者端末３において、ノートの記載内容を文字認識等により自動判別し、ノートに係る評価を所定のアルゴリズムにより自動的に決定してもよい。またサーバ２又は添削者端末３に限られず、学習者端末１の端末制御部１５が同様の処理を行うようにして、ノートに係る評価を決定してもよい。
【００６４】
また、本発明の一実施形態に係る学習支援システム１０では、添削者の入力に基づき前記ノートに追加情報を付加し、追加情報が付加されたノートを第二学習者の学習者端末１にて表示する。そのため、第二学習者は、第一学習者のノートに加えて添削コメント等の追加情報も閲覧することができ、より学習効果の高いノートを共有することができる。
【００６５】
また、本発明の一実施形態に係る学習支援システム１０では、ノートに含まれる共有意思情報に基づき、ノートの共有が第一学習者により許可されていると判定した場合にノートを表示するようにしている。そのため、第一学習者がノートを共有したくない場合には、ノートを共有させないことができる。これにより第一学習者が安心して本システムにより学習支援を受けることができる。また第一学習者がノートを共有することを許可している場合のみ、当該ノートに係る評価をすればよいため、ノートに係る評価の決定を、共有が許可されているノートにのみ注力すればよく、システムの運用効率化を図ることができる。
【００６６】
なお、本実施の形態では、ノート提出ダイアログを用いて共有意思を確認したが、ノートの共有意思の確認方法はこれに限られない。例えば提出されたノートについて評価を決定した後に、評価が基準以上のノートに関して第一学習者に共有意思を確認してもよい。この場合、例えば学習者端末１が送信した全ノートについてノートに係る評価を決定し、評価が基準以上のノートを決定した後に、第一学習者に共有意思を確認する。例えば評価が基準以上のノートを送信した場合、学習者端末１は、共有意思を確認するダイアログを表示し、第一学習者から共有意思を確認してもよい。
【００６７】
また、本発明の一実施形態に係る学習支援システム１０では、複数のノートを時系列にタイムライン表示する。そのため、リアルタイムに他の学習者が提出したノートを確認することができる。また他の学習者も学習していることを実感することができ、学習者の学習意欲を高めることができる。
【００６８】
なお、本実施の形態では、共有が許可されているノートについて、ノートに係る評価が基準以上である場合に第二学習者の学習者端末１にてノートが表示されることについて説明したが、第一学習者の学習者端末１にても自身のノートがタイムライン上に表示されてもよい。
【００６９】
なお、本実施の形態では、共有が許可されているノートがタイムライン表示される例を示したが、これに限られず、賛同ポイントが所定値以上のノートをタイムラインの上部や、別の表示領域に表示してもよい。同様に、学習者の区分が所定以上の場合（例えばプレミアの場合等）にタイムラインの上部や、別の表示領域に表示してもよい。
【００７０】
また、本発明の一実施形態に係る学習支援システム１０では、複数のノートのうち、所定条件を満たす一部のノートのみを表示するようにしている。例えば所定条件は、第一学習者と第二学習者の学習進度が所定範囲内としている。そのため、学習進度が同程度の学習者のノートが表示されるため、学習中の内容に関連性の高いノートを表示させることができ、学習効果を高めることができる。また、学習進度が同程度の他の学習者のノートを表示することで、学習者の学習意欲を高めることができる。
【００７１】
また例えば所定条件は、第一学習者と第二学習者とが関連付けられている場合である。例えば第二学習者がフォローしている第一学習者の方が、学習が先に進んでいる場合であっても、当該第一学習者が送信したノートを閲覧することができる。このようにすることで学習者の競争意識を働かせ、学習者の学習意欲を高めることができる。なお、学習者間の関連付けの方法はあらゆる態様にて行うことができる。例えば一方の学習者からフレンド登録の申請及び他方からの承諾に基づき関連付けてもよく、あるいは一方の学習者からのフレンド登録の申請のみにより関連付けてもよい。また、ある学習者に共有されたノートをお気に入りに登録する際に、フレンド登録の申請をするかどうかを問い合わせるダイアログ等を表示するようにしてもよい。このようにすることでスムーズに学習者間の関連付けを行うことができる。
【００７２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００７３】
１０  学習支援システム
１、１ａ、１ｂ、１ｃ  学習者端末
２  サーバ
３  添削者端末
１１  端末通信部
１２  端末記憶部
１３  表示部
１４  入力部
１５  端末制御部
１６  バス
２１  サーバ通信部
２２  サーバ記憶部
２３  サーバ制御部
２４  バス
３１  端末通信部
３２  端末記憶部
３３  表示部
３４  入力部
３５  端末制御部
３６  バス
１０１  解答ボタン
１０２  ボタン
１０３  ノートアイコン
１１１ａ〜１１１ｄ  タブ
１１２  閉じるボタン
１１３  新規ノート作成ボタン
１１４  タイムラインアイコン
１２１  ノート作成画面
１２２  スライダ
１２３  ツールメニュー
１２４  操作メニュー
１２５  ツールボタン
１２６ａ  線
１２６ｂ  文字
１２６ｃ  スナップショット
１２７〜１２９  操作ボタン
１３０  ノート提出ダイアログ
１３１  学習コンテンツ領域
１３２  タイムライン領域
１３３〜１３５  情報
１３６  ノート
１３７、１３８  表示領域
１３９  ボタン
１４０  コメントボタン
１４１  追加ボタン
１４２  検索ウィンドウ
【図１】
2018180194.tif 000003
【図２】
2018180194.tif 000004
【図３】
2018180194.tif 000005
【図４】
2018180194.tif 000006
【図５】
2018180194.tif 000007
【図６】
2018180194.tif 000008
【図７】
2018180194.tif 000009
【図８】
2018180194.tif 000010
【図９】
2018180194.tif 000011
【図１０】
2018180194.tif 000012
【図１１】
2018180194.tif 000013
【図１２】
2018180194.tif 000014
【図１３】
2018180194.tif 000015
【図１４】
2018180194.tif 000016
【図１５】
2018180194.tif 000017
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
複数の学習者端末と、サーバとを備える学習支援システムであって、
ある学習者端末が、第一学習者のユーザ入力に基づき作成したノートを前記サーバに送信し、
前記サーバは、前記ノートの共有が前記第一学習者により許可されている場合にのみ、前記ノートに係る評価を判定し、
少なくとも１の他の学習者端末は、送信された前記ノートに係る評価が基準以上であると前記サーバにより判定された場合、前記ノートを表示する学習支援システム。
【請求項２】
前記ノートに賛同ポイントが対応付けられており、前記賛同ポイントに基づき、前記ノートに係る評価を決定する、請求項１に記載の学習支援システム。
【請求項３】
前記学習支援システムは、添削者端末を備え、
前記添削者端末が前記ノートに係る評価を決定する、請求項１又は２に記載の学習支援システム。
【請求項４】
前記添削者端末は、添削者の入力に基づき前記ノートに追加情報を付加し、前記少なくとも１の他の学習者端末は、前記追加情報が付加された前記ノートを表示する、請求項３に記載の学習支援システム。
【請求項５】
前記少なくとも１の他の学習者端末は、送信された複数のノートを、時系列にタイムライン表示する、請求項１乃至４のいずれか一項に記載の学習支援システム。
【請求項６】
前記少なくとも１の他の学習者端末は、送信された複数のノートのうち、所定条件を満たす一部のノートのみを表示する、請求項１乃至５のいずれか一項に記載の学習支援システム。
【請求項７】
前記所定条件は、前記第一学習者の学習進度と、前記少なくとも１の他の学習者端末に係る第二学習者の学習進度とが、所定範囲内であることを含む、請求項６に記載の学習支援システム。
【請求項８】
前記所定条件は、前記第一学習者と前記少なくとも１の他の学習者端末に係る第二学習者とが関連付けられていることを含む、請求項６又は７に記載の学習支援システム。
【請求項９】
前記ノートはお気に入り登録可能であり、お気に入り登録する際に、学習者同士の関連付けの申請をするかどうかを問い合わせる、請求項８に記載の学習支援システム。
【請求項１０】
複数の学習者端末における学習支援方法であって、
ある学習者端末が、第一学習者のユーザ入力に基づき作成したノートをサーバに送信するステップと、
前記サーバが、前記ノートの共有が前記第一学習者により許可されている場合にのみ、前記ノートに係る評価を判定するステップと、
少なくとも１の他の学習者端末が、送信された前記ノートに係る評価が基準以上であると前記サーバにより判定された場合、前記ノートを表示するステップと、
を含む、学習支援方法。
【請求項１１】
前記学習支援方法はさらに、
前記学習者端末が送信した前記ノートに係る評価を、添削者端末により決定し、
前記添削者端末は、添削者の入力に基づき前記ノートに追加情報を付加するステップと、
前記学習者端末は、前記追加情報が付加された前記ノートを受信するステップと、を含む、請求項１０に記載の学習支援方法。
【請求項１２】
通信部と、
学習者によるユーザ入力を受け付ける入力部と、
前記ユーザ入力に基づきノートを作成し、前記ノートをサーバに送信する制御部と、
前記ノート及び他の学習者により作成されたノートを送受信する通信部と、
前記他の学習者により作成されたノートであって、該ノートの共有が前記他の学習者により許可されており、該ノートに係る評価が基準以上であると前記サーバにより判定された場合、該ノートを表示する表示部と、
を備える学習者端末。
【請求項１３】
前記制御部は、前記ノートを作成するためのノート作成画面を、前記ノート作成画面とは異なる表示画面に重畳して前記表示部により表示する、請求項１２に記載の学習者端末。
【請求項１４】
前記表示部は、前記他の学習者により作成されたノートを時系列にタイムライン表示する、請求項１２又は１３に記載の学習者端末。